(57)【要約】  モップはモップヘッド、掃除用第２ヘッド、及びハンドルを具える。モップヘッドは掃除用第２ヘッドチェインバと第１取付部材を具える。掃除用第２ヘッドは掃除用第２ヘッドチェインバの中に選択的に受入れられることが可能で、モップヘッドに掃除用第２ヘッドを選択的に連結するために第１取付部材と協働する第２取付部材を具える。ハンドルは掃除用第２ヘッドと連結され、モップヘッドと機能的に連結されることが可能である。掃除用第２ヘッドが掃除用第２ヘッドチェインバに受入れられており第２取付部材が第１取付部材と係合しているとき、ハンドルはモップヘッドと連結されている。掃除用第２ヘッドが掃除用ヘッドチェインバに受入れられていないとき、ハンドルはモップヘッドと連結解除されている。
2017503581.tif 000002
【特許請求の範囲】
【請求項１】
掃除用第２ヘッドチェインバ及び第１取付部材を具えたモップヘッドと、
前記掃除用第２ヘッドチェインバに選択的に受入れられることが可能な掃除用第２ヘッドを具え、該掃除用第２ヘッドが前記モップヘッドに前記掃除用第２ヘッドを選択的に連結するために前記第１取付部材と協働する第２取付部材を具え、
前記掃除用第２ヘッドと連結され、前記モップヘッドと機能的に連結されることが可能なハンドルとを具えたモップであって、前記掃除用第２ヘッドが前記掃除用第２ヘッドチェインバに受入れられており前記第２取付部材が前記第１取付部材と係合しているときは、前記ハンドルが前記モップヘッドと連結されており、前記掃除用第２ヘッドが前記掃除用第２ヘッドチェインバに受入れられていないときは、前記ハンドルが前記モップヘッドと連結解除されている、
モップ。
【請求項２】
前記ハンドルが細長いポールである、請求項１のモップ。
【請求項３】
前記モップヘッドが前縁及び後縁を具え、前記掃除用第２ヘッドチェインバが前縁で開口している、請求項１のモップ。
【請求項４】
前記モップヘッド及び掃除用第２ヘッドチェインバが、前記第１取付部材に前記第２取付部材が係合するように前記第１取付部材に向かって前記第２取付部材を動かすために、前記掃除用第２ヘッドが前記後縁に向かって前記前縁の上を摺動するように構成されている、請求項３のモップ。
【請求項５】
前記モップヘッド及び掃除用第２ヘッドチェインバが、前記第２取付部材が前記第１取付部材と係合していないとき、前記掃除用第２ヘッドチェインバから前記掃除用第２ヘッドを取外すために、前記掃除用第２ヘッドが前記後縁から離れるように前記前縁の上を摺動するように構成されている、請求項４のモップ。
【請求項６】
前記モップヘッドが操作位置において掃除される面上にあるとき、前記モップヘッドが前記モップによって掃除される面上から離れて上方に、且つ、掃除用第２ヘッドチェインバに向かって角度付されている傾斜板を具えている、請求項１のモップ。
【請求項７】
前記掃除用第２ヘッドが面取りされた部分を有する下面を具え、前記第２取付部材が前記掃除用第２ヘッドに設けられた開口部、すなわち、リセスを具えている、請求項６のモップ。
【請求項８】
前記モップヘッドが前記掃除用第２ヘッドチェインバの両側面にそれぞれトラック及びスロットのいずれか一方を具え、前記掃除用第２ヘッドが該掃除用第２ヘッドの両側面にそれぞれ前記トラック及びスロットのもう一方を具えている、請求項７のモップ。
【請求項９】
前記掃除用第２ヘッドが面取りされた後部を有する下面を具え、前記第２取付部材が前記掃除用第２ヘッドに設けられた開口部、すなわち、リセスを具えている、請求項１のモップ。
【請求項１０】
前記掃除用第２ヘッドが前記掃除用第２ヘッドチェインバに受入れられているときに、前記開口部、すなわち、リセスに受入れられるように前記第１取付部材が付勢されており、前記第１取付部材が傾斜した前縁を具え、前記面取りされた後部が傾斜した前縁と接触するとき、前記第１取付部材が前記開口部、すなわち、リセスに受入れるまで、前記第1取付部材が下方向に移動するように、前記面取りされた後部及び傾斜した前縁が構成されている、請求項９のモップ。
【請求項１１】
前記モップヘッドが、前記第1取付部材、該第１取付部材を付勢するばね、及び第１取付部材と連結されている操作部を含むラッチング機構を具える、請求項１のモップ。
【請求項１２】
前記第１取付部材及び操作部が一体に形成されたプラスティック片の一部である、請求項１１のモップ。
【請求項１３】
前記モップヘッドが、ハウジング、該ハウジングと旋回可能に連結されている一体に形成されたペダルの一部である前記第１取付部材及び操作部を具える、請求項１２のモップ。
【請求項１４】
前記第１取付部材が前記第２取付部材と係合するラッチ位置に向かって前記ばねが前記第１取付部材を付勢し、前記操作部が踏まれるように構成されたパッドであって、前記パッドが踏まれたときに、前記第１取付部材が前記第２取付部材と係合しない位置に向かって移動する、請求項１３のモップ。
【請求項１５】
前記モップヘッドが上部ハウジング及び前記上部ハウジングと連結されている下部ハウジングを具え、前記ばねが前記上部ハウジングのラッチ開口部を貫通している前記第１取付部材を付勢する、請求項１１のモップ。
【請求項１６】
前記操作部が前記上部ハウジング及び下部ハウジングの少なくとも一方に設けられた操作パッド開口部を貫通して拡がるパッドである、請求項１５のモップ。
【請求項１７】
前記掃除用第２ヘッドに連結されたスクラビングパッド及び前記モップヘッドに連結された掃除用パッドを具え、前記掃除用第２ヘッドが前記掃除用第２ヘッドチェインバに受入れられており前記第２取付部材が前記第１取付部材と係合しているときに、前記掃除用第２ヘッドが前記スクラビングパッドによって少なくとも部分的に覆われている下面を具え、前記掃除用パッドが周囲にさらされている、請求項１のモップ。
【請求項１８】
前記モップヘッドがトラック及びスロットの少なくとも一方を具え、前記掃除用第２ヘッドが前記トラック及びスロットのもう一方を具え、前記掃除用第２ヘッドが前記掃除用第２ヘッドチェインバに受入れられており前記第２取付部材が前記第１取付部材と係合しているときに、前記スロットが前記トラックに受入れられている、請求項１７のモップ。
【請求項１９】
前記モップヘッドが少なくとも２つのトラックを具え、前記掃除用第２ヘッドが少なくとも２つのスロットを具え、前記掃除用第２ヘッドが前記掃除用第２ヘッドチェインバに受入れられており前記第２取付部材が前記第１取付部材に係合しているとき、前記各スロットがそれぞれのトラックを受入れている、請求項１８のモップ。
【請求項２０】
前記スクラビングパッドが前記掃除用パッドよりも汚れをこすり落とす力がより大きい、請求項１９のモップ。
【発明の詳細な説明】
【背景技術】
【０００１】
床、又はその他の表面を掃除する際に、大きなモップヘッドは可能な限り広い領域をカバーするのに有益である。既知のモップヘッドは、マイクロファイバ又は類似素材のような掃除用の大きな主要部材を伴い、ほこりを払うためのドライモップ、又はより徹底的な掃除をするためのウェットモップとして機能し得る。掃除中、より高圧、すなわち、一般的な掃除用の大きな主要部材を使用した場合よりもより汚れを取除くことができる掃除用部材を必要とする頑固な汚れやしみが一般に存在する。これは、モップで拭いて、床のごみが乾くと発生し得る。
【０００２】
汚れをこすり落とす力がより大きいスクラビング(scrubbing)具を具えたモップが存在する。モップ及び汚れをこすり落とす力がより大きいスクラビング具の最も一般的な構成としては、小さなスクラビング部材がモップヘッドの正面又は側面に取付けられる。このようなモップは大抵、モップヘッドをひっくり返したり、モップヘッドを通常のモップ掛けで使用する位置とは別の位置に配置したりすることを必要とする。使用中、より大きなモップヘッドによって、操作者はしばしば洗浄面又は汚れを見ることを妨げられ、また、狭い領域、すなわち、家具や壁の近くに汚れがある場合、大きなモップヘッドは、汚れをこすり落とす邪魔になる。スクラビング部材を使用するためのこのようなモップヘッドの配置の変更はモップを扱いづらくする。すなわち、スクラビング部材を使用するために必要とされるハンドルのポールの角度によってスクラビング部材が使いづらくなるので、不便になり得る。
【発明の概要】
【０００３】
前述の点を考慮して、本発明のモップはモップヘッド、掃除用第２ヘッド、及びハンドルを具える。モップヘッドは掃除用第２ヘッドチェインバと第１取付部材を具える。掃除用第２ヘッドは、掃除用第２ヘッドチェインバに選択的に受け入れられ、掃除用第２ヘッドをモップヘッドに選択的に連結するために第１取付部材と協働する第２取付部材を具える。ハンドルは掃除用第２ヘッドと連結して、モップヘッドと選択的に連結可能である。掃除用第２ヘッドが掃除用第２ヘッドチェインバに受入れられており第２取付部材が第１取付部材と係合しているときは、ハンドルはモップヘッドと連結されている。掃除用第２ヘッドが掃除用第２ヘッドチェインバに受入れられていないときは、ハンドルはモップヘッドと連結解除されている。
【図面の簡単な説明】
【０００４】
図１は取外し可能な掃除用第２ヘッドを具えたモップの正面から見た斜視図。
【０００５】
図２は図１のモップの背面から見た斜視図。
【０００６】
図３はモップヘッドから取外された掃除用第２ヘッドを具えた図１のモップの斜視図。
【０００７】
図４はモップヘッドの分解斜視図。
【０００８】
図５は図１の５−５線での断面図。
【０００９】
図６は掃除用第２ヘッドの底面を示す斜視図。
【００１０】
図７は図１に示されたモップの正面図。
【００１１】
図８は取外し可能な掃除用第２ヘッドを具えたモップの他の実施例の正面から見た斜視図。
【００１２】
図９はモップヘッドから取外された掃除用第２ヘッドを具えた図８のモップの斜視図。
【発明を実施するための形態】
【００１３】
図１と２は、ハンドル１２、モップヘッド１４、及び掃除用第２ヘッド１６を具えたモップ１０を示す。ハンドル１２は掃除用第２ヘッド１６を介してモップヘッド１４と機能的に連結する。モップ１０はウェットモップでもドライモップでもよい。モップ１０がウェットモップとして機能するために、洗浄液を貯えているリザーバ１８がハンドル１２に取付けられてもよい。図３に示されるように、掃除用第２ヘッド１６はモップヘッド１４から取外し可能である。そのため、掃除用第２ヘッド１６は、例えば、頑固な汚れ等に用いられる。図示されるように、モップヘッド１４では入込むことができない狭い領域を掃除するために掃除用第２ヘッド１６を用いることができるように、掃除用第２ヘッド１６はまたモップヘッド１４よりも小さい。モップヘッド１４は、掃除用第２ヘッド１６がモップヘッド１４との連結時に存する掃除用第２ヘッドチェインバ２０を具える。図示された実施例においては、モップヘッド１４と掃除用第２ヘッド１６を連結及び連結解除するため、ばね式ラッチである第１取付部材２２は、モップヘッド１４上で掃除用第２ヘッド１６と係合し、また掃除用第２ヘッドから取外され得る。他のタイプの取付部材が用いられてもよい。
【００１４】
図示された実施例では、ハンドル１２は細長いポールで構成されているが、短くてもよい。例えば、取外し可能なスクラビング具部材を具えている、より小さな手持ちサイズのモップを構成するために、モップヘッド１４がより小さい場合、ハンドル１２は短くてもよい。
【００１５】
引続き図３を参照して、モップヘッド１４は全体として長方形の底面を有する。しかしながら、モップヘッド１４は種々の他の形であってもよい。モップヘッド１４は、図示されるように、図３に示された方向ごとに、前縁２４、後縁２６、左縁２８、及び右縁３０を具える。縁を説明するために用いられた方向を示す用語は図面を理解しやすいように用いられたものであり、如何なる特定の方向に対してモップヘッド１４を限定するためのものではない。モップヘッド１４に掃除用第２ヘッド１６を連結すべく、掃除用第２ヘッド１６をモップヘッド１４の後縁２６に向かって動かす、例えば、スライドさせることができるように、掃除用第２ヘッドチェインバ２０は、前縁２４で開口している。ラッチ（第１取付部材）２２が掃除用第２ヘッド１６と係合していない場合には、掃除用第２ヘッド１６がモップヘッド１４の前縁２４の上を覆って、後縁２６から離れる、例えば、スライドすることができるように、掃除用第２ヘッドチェインバ２０はまた前縁２４で開口している。
【００１６】
図４を参照して、モップヘッド１４はハウジングを具え、図示された実施例においては、ハウジングは、上部ハウジング３４及び下部ハウジング３６からなる。モップヘッド１４はまたペダル３８及び掃除用パッド４０を具え、これらはモップ１０の掃除用の主要な部材として機能し得る。上部ハウジング３４は、（図４においてのみ視認できる。）留め具４４によって下部ハウジング３６と連結する。上部ハウジング３４は他の従来の方法で下部ハウジング３６と連結してもよい。ペダル３８は上部ハウジング３４と下部ハウジング３６の間に取付けられる。掃除用パッド４０は下部ハウジング３６、及び/又は上部ハウジング３４と選択的に連結する。洗濯、又は取替えのため、掃除用パッド４０は取外すことができる。
【００１７】
ハウジング３４及び３６は掃除用第２ヘッドチェインバ２０を画定する。図４を参照して、ハウジング３４と３６は操作パッド開口部５０及びラッチ開口部５２を具え、図示された実施例においては、それらのいずれも上部ハウジング３４に設けられる。ラッチ開口部５２は掃除用第２ヘッドチェインバ２０の後部に配設される。操作パッド開口部５０は掃除用第２ヘッドチェインバ２０から後方に向かって配設され、モップヘッド１４の後縁２６の近くに配設される。
【００１８】
モップヘッド１４のハウジング３４及び３６はまた、図５で示されるような操作位置においてモップヘッド１４が掃除される面上にあるとき、モップ１０で掃除される面から離れる上方、且つ、掃除用第２ヘッドチェインバ２０に向かって傾斜する傾斜板５４を具える。傾斜板５４は前縁２４から後縁２６に向かって、且つ、掃除用第２ヘッドチェインバ２０の中に向かって斜め上向きに傾いている。図示された実施例では、傾斜板５４は上部ハウジング３４の一部として形成されている。ハウジング３４と３６はまた、掃除用第２ヘッドチェインバの底５６を具える。図示された実施例では、掃除用第２ヘッドチェインバの底５６は平ら（平面）で、傾斜板５４の後方で、且つ、傾斜板５４の上側縁より下に配設される。掃除用第２ヘッドチェインバの側壁６０及び６２は、掃除用第２ヘッドチェインバ２０をさらに画定するために、掃除用第２ヘッドチェインバの底５６から上方に拡がっている。掃除用第２ヘッドチェインバの側壁６０と６２は掃除用第２ヘッドチェインバの底５６の相対する辺に設けられており、言い換えると、掃除用第２ヘッドチェインバの左側壁６０は掃除用第２ヘッドチェインバの底５６の左側から上方に向かって拡がっており、掃除用第２ヘッドチェインバの右側壁６２は掃除用第２ヘッドチェインバの底５６の右側から上方に向かって拡がっている。掃除用第２ヘッドチェインバの側壁６０と６２は、モップヘッド１４が操作位置において掃除される面上にあるとき、お互いに平行な平面で、垂直に設けられる。湾曲した後壁６４は、掃除用第２ヘッドチェインバの底５６とラッチ開口部５２が設けられたレッジ６６の間の移行面を提供する。レッジ６６は傾斜板５４から離れて上方に、且つ、後縁２６に向かって後方に傾斜する。湾曲した後壁上部６８は掃除用第２ヘッドチェインバ２０の後壁を画定すべくレッジ６６から上方に向かって拡がる。
【００１９】
モップヘッド１４はまた掃除用第２ヘッドチェインバ２０の中の正しい位置に掃除用第２ヘッド１６を適切に合わせるために、掃除用第２ヘッド１６と協働するトラックを具える。トラックはまた、掃除用第２ヘッド１６とモップヘッド１４の間の連結を容易にする。図示された実施例では、上部ハウジング３４は、左トラック８０及び右トラック８２を具える。左トラック８０は、掃除用第２ヘッドチェインバの左側壁６０から掃除用第２ヘッドチェインバ２０の内側方向に向かって拡がっており、右トラック８２は、掃除用第２ヘッドチェインバの右側壁６２から掃除用第２ヘッドチェインバ２０の内側方向に向かって拡がっている。図示された実施例では、トラック８０と８２は上部ハウジング３４の一部として形成され、掃除用第２ヘッドチェインバの側壁６０及び６２それぞれの上側の縁に配設される。トラック８０と８２は前縁２４と隣合うそれぞれの端部において外側に向かってフレア状に拡がっており、掃除用第２チェインバ２０の中に掃除用第２ヘッド１６を設置するのに役立ちうる。トラック８０と８２は同一平面上にあり、水平に配向している。
【００２０】
図示された実施例において、下部ハウジング３６は、例えば、成形プラスティック片のような、一体に形成されたプレートである。下部ハウジング３６は、平面視で全体として長方形であり、下部ハウジング３６が上部ハウジング３４と連結されているときに、掃除用第２チェインバ２０と全体として位置合わせされて、掃除用第２チェインバ２０の下に設けられた切欠き８８を具える。左軸支持９０及び右軸支持９２は平らな上部面９４から上部ハウジング３４に向かって上方向に延びる。留め具開口部９６は下部面９８から上部面９４へと下部ハウジング３６を貫通して延びている。留め具開口部９６は上部ハウジング３４に下部ハウジング３６を連結すべく留め具４４を受入れる。下部ハウジング３６はまた上部面９４から上部ハウジング３６に向かって上方に延びるばね保持用ボス１０２を具える。ばね保持用ボス１０２は、図示された実施例では、円形である。
【００２１】
図４を参照して、モップヘッド１４はペダル３８とばね１０４を有するラッチング機構を具える。ラッチング機構はまた、図示されるように、掃除用第２ヘッドチェインバ２０の中に掃除用第２ヘッド１６を保持すべく掃除用第２ヘッド１６と係合する傾斜が付けられた部材である、第１取付部材２２を具える。
【００２２】
図３を参照して、ペダル３８は、一体に形成されており、例えば、図示された実施例では、第１取付部材２２、及びパッド１０６である操作部を含む成形プラスティック片である。第１取付部材２２から掃除用第２ヘッド１６を取外すために操作者が踏めるように、操作パッド１０６は、モップヘッド１４に設けられている。これにより、掃除用第２ヘッド１６を掃除用第２ヘッドチェインバ２０から引き出し、モップヘッド１４から取外すことができる。操作パッド１０６は、モップヘッド１４から掃除用第２ヘッド１６を取外すために、踏まれる必要はなく、押されるだけでよい。操作パッド１０６は平面視で全体として四角形で、上部ハウジング３４に設けられた操作パッド開口部５０を貫通するように形作られている。掃除中モップ１０を操作する者が利用しやすいように、操作パッド１０６は操作パッド開口部５０を貫通して露出されている。操作者が踏むときに、操作パッド１０６が移動しないように、リッジ１０８が操作パッド１０６の下側に設けられてもよい。
【００２３】
ペダル３８はさらに、右軸１２２と左軸１２０をつなぎ、連結する連結肢１１０を具える。連結肢１１０は操作パッド１０６の前縁とつながっている。連結肢１１０は平面視でＵ字型である。左軸１２０は下部ハウジング３６の左軸支持９０に受入れられる。右軸１２２もまた下部ハウジング３６にある右軸支持９２に受入れられる。左軸１２０は右軸１２２と同軸である。ペダル３８は、軸１２０と１２２によって画定される旋回軸１２４の周りを、上部ハウジング３４と下部ハウジング３６に対して旋回する。
【００２４】
第１取付部材２２は左軸１２０と右軸１２２の間の中央に位置する。第１取付部材２２は操作パッド１０６の前縁に設けられ、操作パッド１０６から上に向かって拡がっている。上述したとおり、第１取付部材２２は、傾斜した前面１２８（図３）及び垂直な後面１３０（図４）を有する傾斜したこぶ状である。傾斜した前面１２８は上方向、且つ、後ろに向かって（後縁２６に向かって）傾斜しており、後面１３０よりも水平により傾斜している。
【００２５】
ばね１０４は、旋回軸１２４の周りを全体として上方向にペダル３８が旋回するように下部ハウジング３６及び操作パッド１０６に対して作用する。ばね１０４は、上部ハウジング３４のラッチ開口部５２を貫通して第１取付部材２２を傾斜させる。第１取付部材２２は操作パッド１０６とつながっているので、ハウジング３４及び３６に対して操作パッド１０６を下方向に移動させるために操作者が操作パッド１０６を下に押すと、第１取付部材２２もまたハウジング３４及び３６に対して下方向に移動する。
【００２６】
掃除用パッド４０は掃除される表面と接触する下面１３４及び下面１３４の反対側にある上面１３６を有する。掃除用パッド４０は下部ハウジング３６、及び／又は上部ハウジング３４に従来のいずれの方法で取付けられてもよい。掃除用パッド４０は従来の掃除用パッドに似ていてもよい。
【００２７】
図３を参照して、掃除用第２ヘッド１６は上面１８２及び下面１８４を有する本体１８０を具えたモップ１０が掃除される床で使用されているとき、上面１８２と下面１８４は、全体として水平に合わせられる。本体１８０はまた左側面１８６及び右側面１８８を具え（図７）、モップ１０が掃除される床で使用されるときに、それぞれは全体として垂直に合わせられる。本体１８０はさらに前側１９２及び後側１９４を具える。
【００２８】
図３を参照して、ハンドルコネクタ１９６は本体１８０と連結しており、本体１８０の上面１８２の後部に設けられたリセス(recess)，すなわち、凹み１９８に受入れられる。ハンドルコネクタ１９６は本体１８０の軸２００（図５）と連結しており、これによって、ハンドル１２は掃除用第２ヘッド１６に対して第１回転軸２０２周りを回転することができる。ハンドル１２と掃除用第２ヘッド１６の連結により、ハンドル１２は掃除用第２ヘッド１６に対して第１回転軸２０２と直交する第２回転軸２０４の周りを回転することもできる。ポンプハウジング２０８を介してハンドル１２と機能的に連結されているコネクタ２０６はハンドルコネクタ１９６と連結しており、そのため、ハンドル１２は掃除用第２ヘッド１６に対して第２回転軸２０４の周りを回転することができる。
【００２９】
掃除用第２ヘッド１６はまた本体１８０と着脱可能に連結されているスクラビングパッド２１０を具えてもよい。スクラビングパッド２１０は掃除用パッド４０よりも汚れをこすり落とす力がより大きい素材で作られており、モップ１０の第２掃除用部材として機能し得る。又は、スクラビングパッド２１０は掃除用パッド４０と似た素材で作られてもよいが、スクラビングパッド２１０のサイズの方が小さいので、スクラビングパッド２１０は掃除用パッド４０では入込めない狭い領域を掃除する際に役立つ。本体１８０の下面１８４の面取りされた後部２１４が露出されている一方で、スクラビングパッド２１０は、本体１８０の下面１８４のキャリア２１２と連結される（図６参照。）。キャリア２１２は剛直なプラスティック素材で作られてもよく、可撓性、すなわち、曲げることができる前タブ２１６、及び後バーブ２１８を具える。前タブ２１６は本体１８０の下面１８４に設けられたチェンネル２２２に受入れられ、後バーブ２１８は本体１８０の開口部２２４を貫通して延在し、キャリア２１２と本体１８０に貼付けられたスクラビングパッド２１０を連結するために本体１８０と係合する。スクラビングパッド２１０は、本体１８０との係合を外して後バーブ２１８を曲げることによって、本体１８０から取外すことができる。
【００３０】
掃除用第２ヘッド１６はまたモップヘッド１４のトラック８０、８２と協働するスロット２３０、２３２を具える。掃除用第２ヘッド１６が掃除用第２ヘッドチェインバ２０に受入れられておりモップヘッド１４に掛止めされているときに、左スロット２３０が左トラック８０を受入れるように構成され、右スロット２３２が右トラック８２を受入れるように構成される（図７）。スロット２３０、２３２のそれぞれは前側１９２から後側１９４を通ってそれぞれの側面を完全に貫通して延びている。図示されるように、スロット２３０、２３２は本体１８０の下面１８４と比較して上面１８２の近くに位置する。スロット２３０、２３２及びトラック８０、８２は、掃除用パッド４０がモップヘッド１４に連結されているとき、スクラビングパッド２１０が掃除用第２ヘッドチェインバの底５６から（図３）、すなわち、掃除用パッド４０の上面１３６から離れるように配置される。これは、図５及び７においてより明瞭に視認できる。掃除用第２ヘッドチェインバの底５６、すなわち、掃除用パッド４０の上面１３６からスクラビングパッド２１０を離すことで、周囲の空気が掃除用第２ヘッドチェインバ２０の中に入り込むことができ、スクラビングパッド２１０をより簡単に乾燥させることができる。
【００３１】
掃除用第２ヘッド１６はまたモップヘッド１４上の第１取付部材２２と協働する第２取付部材を具える。図示されたように、掃除用第２ヘッド１６の第２取付部材は、本体１８０の下面１８４の面取りされた後部２１４の中に設けられた開口部、すなわち、リセス２３６である。図５に示されるように、開口部、すなわち、リセス２３６は、モップヘッド１４に掃除用第２ヘッド１６を連結するために、ペダル３８上の第１取付部材２２を受入れるように構成されている。ペダル３８はばね１０４によって上に傾けられているので、面取りされた後部２１４は第１取付部材２２の傾斜した前面１２８と接するに従い、第１取付部材２２が掃除用第２ヘッド１６の開口部、すなわち、リセス２３６に受入れられるまで第１取付部材２２は下方向に移動する。このときペダル３８は、モップヘッド１４に掃除用第２ヘッド１６を取付けるばね１０４の付勢力によって上に向かって旋回する。操作者はモップヘッド１４から掃除用第２ヘッド１６を外すために操作パッド１０６を押してもよい。下に向かって操作パッド１０６を押すことで、第１取付部材は下に向かって移動し、ハウジング３４、３６のラッチ開口部５２から外れ、掃除用第２ヘッド１６の開口部、すなわち、リセス２３６から外れることとなる。このとき、掃除用第２ヘッド１６は、移動可能であり、例えば、モップヘッド１４の前縁２４の上を前方にスライドし、掃除用第２ヘッドチェインバ２０から外れることができる。モップヘッド１４に掃除用第２ヘッド１６を再び取付けるためには、掃除用第２ヘッド１６を図３の矢印２３８の方向に移動させる。本体１８０の下面１８４の面取りされた後部２１４はモップヘッド１４の前縁２４で傾斜板５４と接する。掃除用第２ヘッドチェインバの側壁６０、６２は本体１８０の側面１８６、１８８と接してもよく、スロット２３０、２３２はトラック８０、８２をそれぞれ受入れてもよい。掃除用第２ヘッド１６を、本体１８０の下面１８４の面取りされた後部２１４が第１取付部材２２の傾斜した前面と接触するまで矢印２３８の方向に引っ張り、すなわち、移動させ続けると、第１取付部材２２はばね１０４の付勢力に対抗して下に向かって移動する。第１取付部材２２が掃除用第２ヘッド１６の開口部、すなわち、リセス２３６に受入れられると、第１取付部材２２が、開口部、すなわち、リセス２３６の中で本体１８０と係合するように、回転軸１２４の周りをペダル３８が回転すべく、ばね１０４はペダル３８を上方向に傾かせる。
【００３２】
図５を参照して、モップ１０はポンプハウジング２０８の中にポンプ部材２５０を具えてもよい。ポンプ部材２５０はリザーバ１８からポンプハウジング２０８に設けられた出口２５２に向かって洗浄液を送り出す。掃除される面に出口２５２から洗浄液を吹きかけるために、操作者が引き金２５４（図１）を引くと、ポンプ部材２５０は作動する。引き金２５４が引かれると、ポンプ部材２５０は機械的、又は電気的に作動し得る。
【００３３】
図示された上記の実施例においては、第１取付部材２２はモップヘッド１４のハウジング３４、３６に対して可動で、掃除用第２ヘッド１６の第２取付部材（リセス２３６）は掃除用第２ヘッド１６の本体１８０に固定されており、すなわち、動かせない。他の構成では、モップヘッドの取付部材がハウジング３４、３６に対して固定されており、掃除用第２ヘッド１６の取付部材が可動部材であってもよい。また、掃除用第２ヘッド１６の本体１８０がスロット２３０、２３２を具えていることが示されており、モップヘッド１４がスロット２３０、２３２に受入れられたトラック８０、８２を具えていることが示されている。他の構成では、モップヘッド１４と掃除用第２ヘッド１６がスライド可能に連結されるように、掃除用第２ヘッド１６の本体１８０は、トラック８０、８２のうち少なくとも１つと同様な、少なくとも１つのトラックを具えていればよく、モップヘッド１４は、スロット２３０、２３２のうち少なくとも１つと同様な、少なくとも１つのスロットを具えていればよい。また、トラック８０、８２、及びスロット２３０、２３２は、（モップ１０が操作位置にある場合）水平方向に向いている。しかしながら、掃除用第２ヘッド１６及びモップヘッド１４は、モップヘッド１４に対して直交する方向に掃除用第２ヘッド１６を動かすことによって、モップヘッド１４に掃除用第２ヘッド１６が連結されるように設計されてもよい。当該実施例では、掃除用第２ヘッド１６、又はモップヘッド１４に設けられ得る少なくとも１つのトラックが、トラックを具えていない掃除用第２ヘッド１６、又はモップヘッド１４のいずれかに設けられ得る少なくとも１つのスロットと協働し、トラック及びスロットの両方ともが垂直方向に向いている。一例として、垂直なリブがモップヘッドの掃除用第２ヘッドチェインバの側面に設けられてもよく、掃除用第２ヘッドがリブを受入れるためのスロットを具える。さらに、第１取付部材２２はペダル３８と連結された既知の結合を介して（図示された実施例の、垂直な旋回移動とは対照的に）水平に旋回移動するように構成変更されてもよい。
【００３４】
図８及び９は上述したモップ１０に類似のモップ３１０の実施例を示す。図８及び９はハンドル３１２、モップヘッド３１４、及び掃除用第２ヘッド３１６を具えたモップ３１０を示す。ハンドル３１２は、掃除用第２ヘッド３１６を介してモップヘッド３１４と機能的に連結している。モップ３１０はウェットモップでもドライモップでもよい。掃除用第２ヘッド３１６は、図９に示されるように、モップヘッド３１４から取外すことができる。モップヘッド３１４は、掃除用第２ヘッド３１６がモップヘッド３１４との連結時に存する掃除用第２ヘッドチェインバ３２０を具えたモップヘッド３１４の第１取付部材３２２は、モップヘッド３１４と掃除用第２ヘッド３１６を着脱するために、掃除用第２ヘッド３１６と係合し、また掃除用第２ヘッド３１６から取外され得る。
【００３５】
上述したモップヘッド１４と同様に、モップヘッド３１４もまた掃除用第２ヘッドチェインバ３２０の前に位置し、掃除用ヘッドチェインバ３２０につながる傾斜板３５４を具えたモップヘッド３１４はまた、掃除用第２ヘッドチェインバ３２０の中に掃除用第２ヘッド３１６を適切に方向付けるために、掃除用第２ヘッド３１６のスロット５３０（図９では１つのスロットのみ視認できる。）と協働するトラック３８０、及び３８２を具える。トラック３８０、３８２、及びスロット５３０は、掃除用第２ヘッド３１６とモップヘッド３１４の連結を容易にする。
【００３６】
モップヘッド３１４はラッチング機構を具え、ラッチング機構は上述したペダル３８に類似のペダル、及びばね（視認できない。）を具える。ラッチング機構はまた、掃除用第２ヘッドチェインバ３２０の中で掃除用第２ヘッド３１６を保持するために、掃除用第２ヘッド３１６と係合する第１取付部材３２２を具える。図８及び９に示された実施例では、ペダルは、例えば、第１取付部材３２２、操作パッド４０６、４０８を具えた成型プラスティック片のように、一体に形成されている。掃除用第２ヘッド３１６を第１取付部材３２２から取外すため、操作者によって操作パッド４０６、４０８が踏まれ、その結果、掃除用第２ヘッド３１６は掃除用第２ヘッドチェインバ３２０から引き出され、モップヘッド３１４から取外され得る。モップ操作中に、モップ３１０の操作者が操作しやすいように、操作パッド４０６、４０８は、掃除用第２ヘッドチェインバ３２０の両側にあって、モップヘッド３１４のハウジング３３４を貫通して拡がっている操作パッド開口部３５０、３５２を貫通して露出されている。図８及び９に示された実施例のペダルは、上述したペダル３８と同様に、ハウジング３３４に対して旋回軸の周りを旋回する。
【００３７】
（視認できないが、ばね１０４と類似する。）ばねは、旋回軸の周りを全体として上方向にペダルが旋回するように、ハウジング３３４の下部と操作パッド４０６、４０８に対して作用する。第１取付部材３２２は、操作パッド４０６、４０８とつながっており、すなわち、操作パッド４０６、４０８とともに形成されるため、ハウジング３３４に対して操作パッド４０６、４０８を動かすために、操作者が操作パッド４０６、４０８の両方を押し下げると、第１取付部材３２２もまたハウジング３３４に対して下方向に移動する。
【００３８】
掃除用第２ヘッド３１６は（本体１８０に類似の）本体４８０、及び本体４８０と脱着可能に連結された（スクラビングパッド２１０に類似の）スクラビングパッド５１０を具える。掃除用第２ヘッド３１６はまたモップヘッド３１４の第１取付部材３２２と協働する第２取付部材を具える。掃除用第２ヘッド３１６の第２取付部材は本体４８０の下面の面取りされた後部に設けられた開口部、すなわち、リセス（開口部、すなわち、リセス２３６と類似する。）でもよい。掃除用第２ヘッド３１６は上述したモップ１０と同様の方法でモップヘッド３１４と連結される。
【００３９】
取り外し可能な掃除用第２ヘッドを具えたモップの例をこれまで詳細に説明してきた。前述の詳細な説明を読み、理解することでこれらの実施例に対して変更及び改変が想起されるであろう。本発明は、上述した実施例に限定されるものではない。本発明は、むしろ、添付の請求項、及びその均等物によって広く定められるものである。上記に開示された様々な実施例、及び他の特徴、すなわち、改変又は変更が望ましく結びつけられて、他の異なる多くの応用例になり得るということが理解されるであろう。また、現時点では思いつかない、若しくは想定外の様々な代替、修正、変更、又は改良が当業者によって後になされるであろうが、それもまた、添付の請求項に含まれることが意図されている。  
【図１】
2017503581.tif 000003
【図２】
2017503581.tif 000004
【図３】
2017503581.tif 000005
【図４】
2017503581.tif 000006
【図５】
2017503581.tif 000007
【図６】
2017503581.tif 000008
【図７】
2017503581.tif 000009
【図８】
2017503581.tif 000010
【図９】
2017503581.tif 000011
【国際調査報告】
2017503581.tif 000012